(57)【特許請求の範囲】
【請求項１】
衣類を乾燥させる回転ドラムと、前記回転ドラム内へ温風を循環する送風手段と、前記回転ドラム内への送風経路に設けた加熱手段と、前記回転ドラム内へ衣類を投入する扉と、前記送風手段または前記回転ドラムを回転駆動するモータと、前記回転ドラムの回転数または回転周期を検知する回転検知手段と、前記扉の開閉を検知する開閉検知手段と、前記モータの回転数および前記加熱手段を制御する制御手段とを備え、前記制御手段は、操作スイッチや表示灯等を実装した操作表示部とリレーなどのスイッチング手段等を実装した制御部とに分割され、前記回転検知手段は、第１の磁気センサと前記回転ドラムに装着した第１の磁石とよりなり、前記開閉検知手段は、第２の磁気センサと前記扉に装着した第２の磁石とよりなり、前記第１の磁気センサは前記制御部に実装されてその実装面は前記回転ドラムに対向して配設され、前記第２の磁気センサは前記操作表示部に実装されてその実装面は前記扉に対向して配設され、前記制御部と操作表示部のそれぞれの実装面が互いに逆向きとなるようにした衣類乾燥機。
【発明の詳細な説明】
【０００１】
【発明の属する技術分野】
本発明はモータで回転駆動される回転ドラム内へ温風を循環して衣類を乾燥させる衣類乾燥機に関する。
【０００２】
【従来の技術】
近年、家庭用の衣類乾燥機は、衣類を乾燥させる回転ドラムの回転数を検知し、衣類の種類や量に応じて回転数を制御する衣類乾燥機が提案されている。
【０００３】
従来、この種の衣類乾燥機は、特開昭５８−１６３７１２号公報に示すように構成されていた。すなわち、回転ドラムに永久磁石を取付け、永久磁石と対向する位置にリードスイッチを取付けて回転速度検出機構を構成し、回転ドラムの回転数を検出するようにしていた。
【０００４】
【発明が解決しようとする課題】
このような従来の衣類乾燥機では、回転速度検出機構の部品点数が増加し、価格が高くなり、部品点数増加により信頼性が低下するという問題を有していた。さらに、扉の開閉を検知する開閉検知手段を永久磁石とリードスイッチなどの磁気センサで構成すると、回転ドラムに装着した永久磁石が扉の開閉手段の磁気センサに影響して開閉手段が誤動作するという問題を有してした。
【０００５】
本発明は上記従来課題を解決するもので、回転ドラムの回転数または回転周期を検知する回転検知手段と扉の開閉を検知する開閉検知手段の構成を簡単にし、部品点数と価格を低減して、検知精度を向上して信頼性を向上することを目的としている。
【０００６】
【課題を解決するための手段】
本発明の衣類乾燥機においては、制御手段は、操作スイッチや表示灯等を実装した操作表示部とリレーなどのスイッチング手段等を実装した制御部とに分割され、回転ドラムの回転数または回転周期を検知する回転検知手段は、第１の磁気センサと回転ドラムに装着した第１の磁石とよりなり、扉の開閉を検知する開閉検知手段は、第２の磁気センサと扉に装着した第２の磁石とよりなり、前記第１の磁気センサは前記制御部に実装されてその実装面は前記回転ドラムに対向して配設され、前記第２の磁気センサは前記操作表示部に実装されてその実装面は前記扉に対向して配設され、前記制御部と操作表示部のそれぞれの実装面が互いに逆向きとなるようにしたものである。
【０００７】
これにより、回転検知手段の第１の磁気センサと開閉検知手段の第２の磁気センサの磁気相互干渉を減らすことができ、回転検知手段と開閉検知手段のそれぞれの検知精度を向上させることができる。
【０００８】
【発明の実施の形態】
本発明の請求項１に記載の発明は、衣類を乾燥させる回転ドラムと、前記回転ドラム内へ温風を循環する送風手段と、前記回転ドラム内への送風経路に設けた加熱手段と、前記回転ドラム内へ衣類を投入する扉と、前記送風手段または前記回転ドラムを回転駆動するモータと、前記回転ドラムの回転数または回転周期を検知する回転検知手段と、前記扉の開閉を検知する開閉検知手段と、前記モータの回転数および前記加熱手段を制御する制御手段とを備え、前記制御手段は、操作スイッチや表示灯等を実装した操作表示部とリレーなどのスイッチング手段等を実装した制御部とに分割され、前記回転検知手段は、第１の磁気センサと前記回転ドラムに装着した第１の磁石とよりなり、前記開閉検知手段は、第２の磁気センサと前記扉に装着した第２の磁石とよりなり、前記第１の磁気センサは前記制御部に実装されてその実装面は前記回転ドラムに対向して配設され、前記第２の磁気センサは前記操作表示部に実装されてその実装面は前記扉に対向して配設され、前記制御部と操作表示部のそれぞれの実装面が互いに逆向きとなるようにしたものであり、回転検知手段の第１の磁気センサと開閉検知手段の第２の磁気センサの磁気相互干渉を減らすことによって、回転ドラムの回転検知と扉の開閉検知の誤動作をすることがなく、検知精度を向上することができ、信頼性を向上することができる。
【０００９】
以下、本発明の実施の形態について、図面を参照しながら説明する。
【００１０】
（実施の形態１）
図１および図２に示すように、回転ドラム１は、被乾燥物（衣類）を収容して乾燥させるもので、熱交換型両翼ファン（送風手段）２により回転ドラム１内に温風を循環させる。熱交換型両翼ファン２は、回転ドラム１内に温風を循環させると同時に外部からの空気を取り入れてファンを冷却し、回転ドラム１の循環空気を除湿する。ＰＴＣヒータ（加熱手段）３は、回転ドラム１への送風経路、すなわち循環空気取入れ口に配設して循環空気を加熱する。
【００１１】
扉４は、回転ドラム１へ衣類を投入し、回転ドラム１内の衣類と温風が外に出ないようにする。モータ５は、回転ドラム１と熱交換型両翼ファン２を回転駆動させるもので、モータ５の回転数を制御することにより回転ドラム１と熱交換型両翼ファン２の回転数を制御でき、ＰＴＣヒータ３の発熱量を制御でき、電力制御が可能となる。
【００１２】
回転検知手段６は、回転ドラム１の回転数を検知するするもので、回転ドラム１に第１の磁石６ａを取り付け、第１の磁石６ａに対向して第１の磁気センサ６ｂを配置して回転ドラム１の回転数を検知する。開閉検知手段７は、第２の磁石７ａを扉４に取りつけ、第２の磁石７ａに対向して第２の磁気センサ７ｂを配置して扉４の開閉を検知する。
【００１３】
制御手段８は、回転検知手段６の信号と開閉検知手段７の信号によりモータ５の回転とＰＴＣヒータ３を制御し、扉４の開閉状態あるいは乾燥衣類の量に応じて回転ドラム１の回転数を制御する。制御手段８は、マイクロコンピュータなどよりなり、操作スイッチや表示灯から構成される操作表示部８ａと、モータ５の回転とＰＴＣヒータ３を制御する制御部８ｂ、双方向性サイリスタ８０およびリレー８１ａ、８１ｂからなる電力スイッチング部８ｃとにより構成している。
【００１４】
双方向性サイリスタ８０は、モータ５の回転数を制御して送風量を制御し、ＰＴＣヒータ３の電流制御を行なう。通常、電力スイッチング部８ｃは制御部８ｂと同一の制御基板上に実装している。
【００１５】
第１の磁気センサ６ｂと第２の磁気センサ７ｂは、通常リードスイッチで構成し、本体部に取り付けた制御手段８の操作表示部８ａの制御基板上に第２の磁気センサ７ｂを実装し、制御部８ｂの制御基板上に第１の磁気センサ６ｂを実装し、磁気相互干渉を減らすようにしている。
【００１６】
すなわち、図３および図４に示すように、制御手段８は、操作スイッチ９、表示灯１０を実装した操作表示部８ａと、リレー８１ａ、８１ｂなどのスイッチング手段を実装した制御部８ｂに分割し、回転ドラム１に装着した第１の磁石６ａに対向して制御部８ｂ上に第１の磁気センサ６ｂを実装し、扉４に装着した第２の磁石７ａに対向して操作表示部８ａ上に第２の磁気センサ７ｂを実装し、部品実装面を互いに逆向きとなるように配設している。磁気シールド板１１は、残留磁気の少ない鉄板で構成し、この磁気シールド板１１を第１の磁石６ａと第２の磁気センサ７ｂ間に配置し、第１の磁石６ａによる磁力線が第２の磁気センサ７ｂに届かないようにしている。
【００１７】
上記構成において動作を説明すると、回転検知手段６は第１の磁気センサ６ｂにより第１の磁石６ａの近接を検知して、回転ドラム１の回転を検知し、開閉検知手段７は第２の磁気センサ７ｂにより第２の磁石７ａの近接を検知して、扉４の開閉を検知する。制御手段８は、回転検知手段６の信号と開閉検知手段７の信号によりモータ５の回転とＰＴＣヒータ３を制御し、扉４の開閉状態あるいは乾燥衣類の量に応じて回転ドラム１の回転数を制御する。
【００１８】
このとき、第１の磁気センサ６ｂおよび第２の磁気センサ７ｂを磁気相互干渉を減らす位置に配設しているので、回転ドラム１の回転検知と扉４の開閉検知の誤動作を防止することができ、検知精度を向上することができ、信頼性を向上することができる。また、第１の磁気センサ６ｂと第２の磁気センサ７ｂを制御手段８の制御基板上に搭載した状態で、回転ドラム１の回転検知と扉４の開閉検知ができる。
【００１９】
また、第２の磁気センサ７ｂと回転ドラム１に装着した第１の磁石６ａとの間に磁気シールド板１１を設け、磁気シールド板１１は鉄板で構成しているので、透磁率が高く磁力線を見かけ上吸収する。したがって、第１の磁石６ａが第２の磁気センサ７ｂに近接したときに、その磁界により扉４が開いているにも関わらず閉じたと誤検知することを防止することができ、また、扉４が閉じているにも関わらず開いたと誤検知することを防止することができ、磁気相互干渉を防止することができる。
【００２０】
また、操作表示部８ａと制御部８ｂとを部品実装面を互いに逆向きとなるように配設することによって、回転検知手段６の第１の磁気センサ６ｂを回転ドラム１側に向かって実装し、扉４の開閉検知手段７の第２の磁気センサ７ｂを扉４側に向かって実装することができ、第１の磁気センサ６ｂと第２の磁気センサ７ｂの磁気相互干渉を減らすことができる。
【００２１】
なお、上記説明では、磁気シールド板１１を第１の磁石６ａと第２の磁気センサ７ｂの間に設けているが、第１の磁石６ａの軌跡から第２の磁気センサ７ｂを離せば省略することが可能である。
【００２２】
（実施の形態２）
図５は乾燥機本体の上部から見た断面図で、扉４の開閉検知手段７の第２の磁石７ａと磁気シールド板１２の残留磁気の磁極配置関係を示している。図に示すように、第２の磁気センサ７ｂと第１の磁石６ａの間に磁気シールド板１２を設け、磁気シールド板１２の残留磁気方向と扉４に装着された第２の磁石７ａの磁気方向とを互いに弱め合う方向に配設している。他の構成は上記実施の形態１と同じである。
【００２３】
上記構成において作用を説明すると、磁気シールド板１２の残留磁気は、回転ドラム１に装着した第１の磁石６ａの磁界によって発生し、第１の磁石６ａが複数あっても磁極方向を適当に揃えることにより、残留磁気方向は、図示するように、第２の磁石７ａにより発生する磁界方向と同一方向に合わせることができる。
【００２４】
第１の磁石６ａにより発生する磁気シールド板１２の残留磁気の磁界方向と、第２の磁石７ａの磁界方向が互いに打ち消す場合には、第２の磁石７ａが磁気シールド板１２に近づくと、磁気シールド板１２の残留磁気と第２の磁石７ａの磁界が反発して、第２の磁気センサ７ｂを通過する磁力線が見かけ上増加し、開閉検知手段７の開閉検知距離を大きくすることができる。
【００２５】
なお、以上の説明では、磁気センサをリードスイッチで構成しているが、その他の磁気センサについても同様に実施可能である。
【００２６】
【発明の効果】
以上のように本発明の請求項１に記載の発明によれば、制御手段は、操作スイッチや表示灯等を実装した操作表示部とリレーなどのスイッチング手段等を実装した制御部とに分割し、回転検知手段は、第１の磁気センサと回転ドラムに装着した第１の磁石とよりなり、開閉検知手段は、第２の磁気センサと扉に装着した第２の磁石とよりなり、前記第１の磁気センサは前記制御部に実装されてその実装面は前記回転ドラムに対向して配設され、前記第２の磁気センサは前記操作表示部に実装されてその実装面は前記扉に対向して配設され、前記制御部と操作表示部のそれぞれの実装面が互いに逆向きとなるようにしたから、回転検知手段の第１の磁気センサと開閉検知手段の第２の磁気センサの磁気相互干渉を減らすことによって、回転ドラムの回転検知と扉の開閉検知の誤動作をすることがなく、検知精度を向上することができ、信頼性を向上することができるとともに、それぞれの磁気センサを対向した磁石に近づけることが可能になり、磁石の残留磁束密度を小さくすることができて、さらに、それぞれの検知手段の部品点数を減らして、小型化と低価格化が可能となる。
【図面の簡単な説明】
【図１】  本発明の第１の実施の形態の衣類乾燥機のシステム構成図
【図２】  同衣類乾燥機の断面図
【図３】  同衣類乾燥機の回転検知手段と開閉検知手段の構成を示す拡大断面図
【図４】  同衣類乾燥機の制御手段の正面図
【図５】  本発明の第２の実施の形態の衣類乾燥機の第２の磁石と磁気シールド板の磁気極性を示す一部切欠した上面図
【符号の説明】
１  回転ドラム
２  熱交換型両翼ファン（送風手段）
３  ＰＴＣヒータ（加熱手段）
４  扉
５  モータ
６  回転検知手段
６ａ  第１の磁石
６ｂ  第１の磁気センサ
７  開閉検知手段
７ａ  第２の磁石
７ｂ  第２の磁気センサ
８  制御手段
８ａ  操作表示部
８ｂ  制御部
【図１】
0003674115.tif 000002
【図２】
0003674115.tif 000003
【図３】
0003674115.tif 000004
【図４】
0003674115.tif 000005
【図５】
0003674115.tif 000006